(57)【要約】【課題】アドレス放電遅れとその経時劣化が抑制された、明るく、且つ寿命が保証され、且つ安定に駆動出来る、低コスト、低消費電力、高精細、高画質なＰＤＰを提供する。【解決手段】列方向に隣接する表示放電セル間の、Ｙ電極が隣り合う側に、横隔壁で表示放電セルと仕切られたプライミング放電領域と、表示放電セル及びプライミング放電領域を接続する隙間を設け、２本ずつのＹ電極のうち、１本目（Ｙ電極２３−１）におけるリセット、アドレスの後に、２本目（Ｙ電極２３−２）におけるリセット、アドレスを行う駆動波形を用いる。【選択図】図１３
2010027264.tif 000002
【特許請求の範囲】
【請求項１】
前面基板と、
前記前面基板に、行方向に延びて２本ずつ交互に列方向に設けられた複数の第１電極及び複数の第２電極と、
前記前面基板と対向して配置された背面基板と、
前記背面基板に、前記列方向に延びて前記行方向に設けられた複数のアドレス電極と、
前記第１電極及び前記第２電極と前記アドレス電極とが交差する位置で構成される複数の表示放電セルと、
前記複数の表示放電セル同士の間を仕切るように設けられた前記列方向に延びる縦隔壁及び前記行方向に延びる横隔壁と、
前記表示放電セルと前記横隔壁によって区画されたプライミング放電領域と、
前記表示放電セルと前記プライミング放電領域を仕切る領域において、前記表示放電セルと前記プライミング放電領域を空間的に接続する隙間とを備え、
２本ずつの前記第２電極に対して、一方の前記第２電極にリセット、アドレスの駆動波形を供給した後、他方の前記第２電極にリセット、アドレスの駆動波形を供給することを特徴とするプラズマディスプレイ装置。
【請求項２】
前記プライミング放電領域の前記前面基板側に光吸収層が設けられていることを特徴とする請求項１に記載のプラズマディスプレイ装置。
【請求項３】
前記アドレス電極を陰極とした駆動波形を用い、前記プライミング放電領域の前記背面基板側に電子放出層が設けられていることを特徴とする請求項１または２に記載のプラズマディスプレイ装置。
【請求項４】
前記駆動波形のリセットを間引くことを特徴とする請求項１〜３のいずれか一項に記載のプラズマディスプレイ装置。
【請求項５】
列方向にそれぞれが平行して行方向に延在する複数のＸ電極−Ｙ電極対を有する前面基板と、前記行方向にそれぞれが平行して前記列方向に延在する複数のアドレス電極を有する背面基板とが対向しており、前記複数のＸ電極−Ｙ電極対と前記複数のアドレス電極との交差するそれぞれの位置に設けられ、前記Ｘ電極−Ｙ電極対および前記アドレス電極に電圧が供給されて放電する複数の表示放電セルと、
前記複数のＸ電極、前記複数のＹ電極、および前記複数のアドレス電極のそれぞれに前記複数の表示放電セルでのリセット放電、アドレス放電、維持放電を発生させるための電圧を供給する機能を有する駆動回路とを備え、
前記複数のＸ電極−Ｙ電極対の配置がＸＹＹＸ配置であり、
前記ＸＹＹＸ配置により互いに前記Ｙ電極が隣接する第１表示放電セルと第２表示放電セルとの間に、前記第１表示放電セルおよび前記第２表示放電セルが共用するプライミング放電セルを有し、
前記駆動回路が、前記第１表示放電セルに対して順に前記リセット放電、前記アドレス放電を発生させた後、前記第２表示放電セルに対して順に前記リセット放電、前記アドレス放電を発生させ、その後、前記第１表示放電セルおよび前記第２表示放電セルに対して前記維持放電を発生させることを特徴とするプラズマディスプレイ装置。
【請求項６】
前記プライミング放電セルでは、前記第１表示放電セルおよび前記第２表示放電セルで共用する前記アドレス電極と、前記第１表示放電セルの前記Ｙ電極または前記第２表示放電セルの前記Ｙ電極との間で放電が発生することを特徴とする請求項５に記載のプラズマディスプレイ装置。
【請求項７】
前記表示放電セルは、前記前面基板とそれに対向する前記背面基板との間であって前記背面基板に設けられたボックス型の隔壁によって囲まれた放電空間と、前記放電空間を充填する放電ガスと、前記放電空間に接するように前記背面基板に設けられた蛍光体層とを有しており、
前記ボックス型の隔壁は、前記列方向に延在する縦隔壁および前記行方向に延在する横隔壁から構成されており、
前記前面基板と前記横隔壁との間に隙間があることを特徴とする請求項５記載のプラズマディスプレイ装置。
【請求項８】
前記第１表示放電セルと前記プライミング放電セルとは、前記第１表示放電セルの前記横隔壁によって区画されており、
前記第２表示放電セルと前記プライミング放電セルとは、前記第２表示放電セルの前記横隔壁によって区画されていることを特徴とする請求項７記載のプラズマディスプレイ装置。
【発明の詳細な説明】
【技術分野】
【０００１】
本発明は、プラズマディスプレイ装置に関し、特に、Ｘ電極−Ｙ電極対がＸＹＹＸ配置のプラズマディスプレイパネル（ＰＤＰ：Plasma Display Panel）を備えたプラズマディスプレイ装置に適用して有効な技術に関するものである。
【背景技術】
【０００２】
近年、大型かつ薄型の画像表示装置として、プラズマディスプレイパネル（以下、ＰＤＰと称する）を備えたプラズマディスプレイ装置が期待されている。ＰＤＰには、その構造と駆動方法の違いからＤＣ（直流）型とＡＣ（交流）型に分類される。特に、ＡＣ面放電型ＰＤＰは、構造の単純さと高信頼性のため、もっとも実用化の進んでいる方式であり、前面基板上に表示放電を生じさせるための維持放電電極対（Ｘ電極−Ｙ電極対）を行方向に平行に延在させ、これと交差するようにアドレス電極（以下、Ａ電極と称する）を背面基板上に列方向に延在させ、複数の表示放電セルをマトリクス状に配列した構造を有している。
【０００３】
ＰＤＰにおける一般的な画像の階調表示方式としてＡＤＳ（Address Display-Period Separation）がある。ＡＤＳ方式では、１フィールド（１６．６７ｍｓ）を所定の輝度比を有する複数のサブフィールドに分割し、それらのサブフィールドを画像に応じて選択的に発光させ、輝度の違いにより階調を表現している。さらにサブフィールドは、リセット期間、アドレス放電期間、維持放電期間で構成される。リセット期間では、マトリクス配列された全ての表示放電セル内の壁電圧をほぼ均一に揃えるため、維持放電電極対に放電開始電圧以上の電圧を印加し、表示放電セルでリセット放電を行う。アドレス放電期間では、全ての表示放電セルのうちの点灯すべき表示放電セルのみに、適量の壁電荷を生成するアドレス放電を行う。維持放電期間では、その壁電荷を利用して表示データの階調値に応じた維持放電を行う。
【０００４】
なお、本発明者らは、発明した結果に基づき、先行技術調査を行ったところ、以下の特許文献が抽出された。
【０００５】
特開２００３−２０３５７１号公報（特許文献１）では、維持放電電極対の配置がＸＹＹＸ配置であって、プライミング放電領域の背面基板上に行方向に延びる突起部を設け、それにより区切られた空間（特許文献１では２つのアドレス放電セルとなる）においてプライミング放電を発生させることにより、アドレス放電遅れ及び無効電力を小さくするＰＤＰが提案されている。
【０００６】
また、特開２００６−５９６３１号公報（特許文献２）では、維持放電電極対の配置がＸＹＹＸ配置であって、前面基板上の隣接したＹ電極（走査電極）間に平行にプライミング電極を設け、プライミング放電を発生させることで、アドレス放電遅れの減少と放電特性の向上を同時に達成するＰＤＰが提案されている。
【特許文献１】特開２００３−２０３５７１号公報
【特許文献２】特開２００６−５９６３１号公報
【発明の開示】
【発明が解決しようとする課題】
【０００７】
本発明者らは、ＰＤＰの省電力化について検討を行っている。具体的には、維持放電電極対の配置がＸＹＸＹ配置のＰＤＰより、無効電力の少ないＸＹＹＸ配置のＰＤＰについて検討を行っている。
【０００８】
特許文献１で開示されているＰＤＰでは、ＸＹＹＸ配置においてプライミング放電領域を突起部により仕切るため、プライミング放電領域が狭くなってしまう。プライミング放電領域の空間が狭い場合、放電開始電圧の上昇が考えられる。この点について図１を参照して説明する。
【０００９】
図１は本発明者らが検討したプライミング放電領域縦幅に対する放電開始電圧特性を示す図である。横軸がプライミング放電領域における縦幅、縦軸がＶｔ＿ＡＹ−Ｖｔ＿ＹＡである。ここで、プライミング放電領域は後述の図３の符号３４で示す領域であり、縦幅はＤ１方向におけるプライミング放電領域３４の符号Ｗで示す幅である。また、縦軸の値はプライミング放電領域縦幅１６０μｍにおける値で規格化してある。また、Ｖｔ＿ＡＹ（＞０）はＹ電極が陰極時の放電開始電圧、Ｖｔ＿ＹＡ（＜０）はＡ電極が陰極時の放電開始電圧である。
【００１０】
図１に示すように、プライミング放電領域縦幅が小さくなるにつれ、Ｖｔ＿ＡＹ−Ｖｔ＿ＹＡの値が上昇していることから、放電開始電圧が上昇していることがわかる。放電開始電圧が低ければ、低電圧の素子を用いて駆動回路を構成することができるので、製品コストを低減することができる。このように、特許文献１で開示されているＰＤＰでは、空間の有効活用ができていないといえる。
【００１１】
また、特許文献２に示すＰＤＰにおいては、ＸＹＹＸ配置においてＸ電極−Ｙ電極対の他にプライミング電極を用いているため、それらの材料並びにそれらの電極に電圧を印加するための駆動回路といった部材が必要となり、製品コストが増加してしまう。
【００１２】
本発明の目的は、維持放電電極対の配置がＸＹＹＸ配置であるプラズマディスプレイ装置の高精細化を図ることのできる技術を提供することにある。
【００１３】
本発明の他の目的は、維持放電電極対の配置がＸＹＹＸ配置であるプラズマディスプレイ装置の黒輝度を低減することのできる技術を提供することにある。
【００１４】
本発明の更に他の目的は、維持放電電極対の配置がＸＹＹＸ配置であるプラズマディスプレイ装置の放電遅れを低減することのできる技術を提供することにある。
【００１５】
本発明の前記ならびにその他の目的と新規な特徴は、本明細書の記述および添付図面から明らかになるであろう。
【課題を解決するための手段】
【００１６】
本願において開示される発明のうち、代表的なものの概要を簡単に説明すれば、次のとおりである。
【００１７】
本発明の一実施の形態で示すプラズマディスプレイ装置は、前面基板と、前記前面基板に、行方向に延びて２本ずつ交互に列方向に設けられた複数の第１電極及び複数の第２電極と、前記前面基板と対向して配置された背面基板と、前記背面基板に、前記列方向に延びて前記行方向に設けられた複数のアドレス電極と、前記第１電極及び前記第２電極と前記アドレス電極とが交差する位置で構成される複数の表示放電セルとを備えている。さらに、前記複数の表示放電セル同士の間を仕切るように設けられた前記列方向に延びる縦隔壁及び前記行方向に延びる横隔壁と、前記表示放電セルと前記横隔壁によって区画されたプライミング放電領域と、前記表示放電セルと前記プライミング放電領域を仕切る領域において、前記表示放電セルと前記プライミング放電領域を空間的に接続する隙間とを備えている。そこで、２本ずつの前記第２電極に対して、一方の前記第２電極にリセット、アドレスの駆動波形を供給した後、他方の前記第２電極にリセット、アドレスの駆動波形を供給するものである。
【発明の効果】
【００１８】
本願において開示される発明のうち、代表的なものによって得られる効果を簡単に説明すれば以下のとおりである。
【００１９】
この一実施の形態によれば、維持放電電極対（第１電極−第２電極対）の配置がＸＹＹＸ配置であるプラズマディスプレイ装置の高精細化を図ることができる。また、黒輝度を低減することができる。さらに、放電遅れを低減することができる。
【発明を実施するための最良の形態】
【００２０】
以下、本発明の実施の形態を図面に基づいて詳細に説明する。なお、実施の形態を説明するための全図において、同一の機能を有する部材には同一の符号を付し、その繰り返しの説明は省略する場合がある。また、以下の実施の形態を説明する図面においては、構成を分かり易くするために平面図であってもハッチングを付す場合がある。
【００２１】
（実施の形態１）
図２は本実施の形態におけるＰＤＰ１００を備えたプラズマディスプレイ装置１１０の構成を示す図である。プラズマディスプレイ装置１１０は、画面を表示するためのＰＤＰ１００、ＰＤＰ１００に電力を供給するための駆動回路（維持駆動回路１０１、スキャン駆動回路１０２、アドレス駆動回路１０３）、駆動回路を制御するための駆動制御回路１０４、回路に安定な直流電圧を供給する電源回路１０５を備えている。例えば、駆動回路（維持駆動回路１０１、スキャン駆動回路１０２、アドレス駆動回路１０３）、駆動制御回路１０４、電源回路１０５を搭載したシャーシとＰＤＰ１００とを熱伝導シートを介して固定し、ＰＤＰ１００と駆動回路をＦＰＣ（Flexible Print Circuit）で接続することによって、ＰＤＰモジュールとすることができる。
【００２２】
ＰＤＰ１００は、列方向にそれぞれが平行して行方向に延在する複数のＸ電極２２−Ｙ電極２３対（維持放電電極対）と、行方向にそれぞれが平行して列方向に延在する複数のＡ電極（アドレス電極）２９とを備えている。複数のＸ電極２２は共通電極として維持駆動回路１０１と電気的に接続されている。また、複数のＹ電極２３は独立電極としてスキャン駆動回路１０２と電気的に接続されている。また、複数のＡ電極２９は独立電極としてアドレス駆動回路１０３と電気的に接続されている。
【００２３】
本実施の形態におけるＸ電極２２−Ｙ電極２３対（維持放電電極対）の配置は、ＸＹＸＹ配置としたＰＤＰより無効電力の少ないＸＹＹＸ配置である。このＸＹＹＸ配置のＰＤＰ１００では、複数のＸ電極２２−Ｙ電極２３対と複数のＡ電極２９との交差するそれぞれの位置には複数の表示放電セルが設けられる。表示放電セルでは、駆動回路（維持駆動回路１０１、スキャン駆動回路１０２、アドレス駆動回路１０３）が有する機能によって、Ｘ電極２２−Ｙ電極２３対およびＡ電極２９に電圧が供給されて表示のための放電が行われる。具体的に駆動回路（維持駆動回路１０１、スキャン駆動回路１０２、アドレス駆動回路１０３）は、複数のＸ電極２２、複数のＹ電極２３、および複数のＡ電極２９のそれぞれに複数の表示放電セルでのリセット放電、アドレス放電、維持放電を発生させるための電圧を供給する機能を有している。
【００２４】
また、図２にはプラズマディスプレイ装置１１０およびこれに映像源１１１を接続した画像表示システム１２０を示す。画像表示システム１２０は、駆動回路へ映像源１１１から映像信号を供給し、その駆動回路からの信号を受けて画素毎の出射光の制御が行われ、ＰＤＰ１００の表示領域より画像を表示するものである。
【００２５】
図３は本実施の形態におけるＰＤＰ１００を模式的に示す分解斜視図であり、図４は図３のＰＤＰ１００の一部を透視して示す平面図であり、図５は図４のＡ−Ａ線におけるＰＤＰ１００の断面図である。このＰＤＰ１００はＡＣ面放電型ＰＤＰであり、維持放電電極対の配置がＸＹＹＸ配置である。
【００２６】
ＰＤＰ１００は、ガラス製の前面基板２１などからなる前面板３６とガラス製の背面基板２８などからなる背面板３７とを対向して貼り合わせて一体化したものである。ＰＤＰ１００を構成する一方の前面基板２１は背面板３７側の面上に一定の距離を隔てて平行に形成される維持放電電極対を複数有する。この維持放電電極対は、第１電極であるＸ電極２２（以下、Ｘとも称する）と第２電極であるＹ電極２３（以下、Ｙとも称する）で構成される。
【００２７】
Ｘ電極２２は、Ｘ透明電極２２ａと透明電極の導電性を補うことを目的としたＸバス電極２２ｂが積層して構成される。また、Ｙ電極２３は、同様に、Ｙ透明電極２３ａとＹバス電極２３ｂが積層して構成される。このうちＸバス電極２２ｂとＹバス電極２３ｂは、図３に示すように、隔壁３１の上部でＤ２方向（行方向）に延長して設けられる。これらＸ電極２２、Ｙ電極２３は、誘電体層２６により被覆され、この誘電体層２６は保護膜２７により被覆される。
【００２８】
複数の維持放電電極対は、Ｄ１方向にＸ−Ｙ−Ｙ−Ｘ−Ｘ−Ｙ−Ｙ−Ｘ−・・・と配置されている。このような配置をＸＹＹＸ配置と呼ぶ。これに対して、Ｘ−Ｙ−Ｘ−Ｙ−Ｘ−Ｙ−Ｘ−Ｙ−・・・と配置する場合もある。このような配置をＸＹＸＹ配置と呼ぶ。ＸＹＹＸ配置をとることにより、隣り合うＸ電極同士、Ｙ電極同士各々の電極間容量をなくすことができるため、ＸＹＸＹ配置の場合と比べ、無効電力の発生を抑制することができる。
【００２９】
また、ＰＤＰ１００を構成する他方の背面基板２８は前面板３６側の面上にＸバス電極２２ｂ及びＹバス電極２３ｂと直角に立体交差するアドレス電極（以下、Ａ電極とも称する）２９を複数有する。このＡ電極２９は誘電体層３０により被覆されている。
【００３０】
このＡ電極２９は、図３におけるＤ１方向（列方向）に延長して設けられる。この誘電体層３０上には、放電の広がりを防止（放電の領域を規定）するための隔壁（リブ）３１が設けられる。誘電体層３０上には、この隔壁３１により仕切られた表示放電セルＣＬ１が設けられる。表示放電セルＣＬ１には、紫外線によって赤、緑、青の各色に発光する蛍光体層３２が塗布されている。蛍光体層３２は、赤に発光する赤蛍光体層３２Ｒ、緑に発光する緑蛍光体層３２Ｇ、および青に発光する青蛍光体層３２Ｂから構成される。
【００３１】
ＰＤＰ１００は、ガラス製の前面基板２１などからなる前面板３６と、ガラス製の背面基板２８などからなる背面板３７とが、その外周部をガラスフリットによって封着されている。この前面板３６と背面板３７とが対向配置されることによってＰＤＰ１００では、放電空間３３が形成されている。放電空間３３には、プラズマを生成するための放電ガス（ＮｅおよびＸｅの混合ガス）が封入されている。
【００３２】
前面基板２１は、一定の距離を隔てて平行に形成される維持放電電極対を、複数有する。この複数の維持放電電極対は、第１電極であるＸ電極２２と第２電極であるＹ電極２３で構成されている。また、Ｘ電極２２、Ｙ電極２３は、低融点ガラス層からなる誘電体層２６により被覆され、この誘電体層２６はＭｇＯからなる保護膜２７により被覆されている。
【００３３】
Ｘ電極２２は、図４に示すように、Ｔ字形状をもつＸ透明電極２２ａと透明電極の導電性を補うことを目的としたＸバス電極２２ｂで構成されている。また、Ｙ電極２３は、Ｔ字形状をもつＹ透明電極２３ａと透明電極の導電性を補うことを目的としたＹバス電極２３ｂで構成されている。Ｘ電極２２とＹ電極２３は、行方向に延長して設けられており、各維持放電電極対はＸＹＹＸ配置をとっている。
【００３４】
背面基板２８は、前面基板２１のＸ電極２２およびＹ電極２３と直角に立体交差するＡ電極２９を有し、このＡ電極２９は、誘電体層３０により被覆されている。このＡ電極２９は、列方向に延長して設けられている。
【００３５】
この誘電体３０上には、放電の広がりを防止（放電の領域を規定）するための隔壁３１が設けられている。誘電体層３０上には、この隔壁３１により、Ｘ電極２２とＹ電極２３とＡ電極２９を有する表示放電セルＣＬ１ならびに、プライミング放電領域３４（プライミング放電セルＣＬ２）が形成されている。プライミング放電領域３４は、ＸＹＹＸ配置（図５参照）により互いにＹ電極２３が隣接する表示放電セルＣＬ１（例えば図５中左側）と表示放電セルＣＬ１（例えば図５中右側）との間に、それら２つの表示放電セルＣＬ１が共用するプライミング放電セルＣＬ２に含まれるものである。
【００３６】
また、隔壁３１は、図４に示すように、表示放電セルＣＬ１を列ごとに仕切る縦隔壁３１Ｌと表示放電セルを行ごとに仕切る横隔壁３１Ｔで構成されている。また、隔壁と隔壁の交差部分は共通部分である。このように本実施の形態における隔壁３１はボックス型である。
【００３７】
更に、表示放電セルＣＬ１とプライミング放電領域ＣＬ２を仕切る領域において、表示放電セルＣＬ１とプライミング放電領域ＣＬ２を空間的に接続するための隙間部３５が形成されている。この隙間部３５は、サンドブラストにより形成した隔壁３１を焼成する際の隔壁３１の熱収縮によって、５〜１０μｍ程度生じる。熱収縮以外にも、何らかの方法で段差を有する隔壁を形成することで、意図的に隙間部３５を設けてもよい。
【００３８】
このように、表示放電セルＣＬ１は、前面基板２１とそれに対向する背面基板２８との間であって背面基板２８に設けられたボックス型の隔壁３１によって囲まれた放電空間３３と、放電空間３３を充填する放電ガスと、放電空間３３に接するように背面基板２８に設けられた蛍光体層３２とを有している。ボックス型の隔壁３１は、列方向に延在する縦隔壁３１Ｌおよび行方向に延在する横隔壁３１Ｔから構成されており、前面基板２１と横隔壁３１Ｔとの間に隙間部３５がある。具体的には、表示放電セルＣＬ１（例えば図５中左側）とプライミング放電セルＣＬ２とは、その表示放電セルＣＬ１の横隔壁３１Ｔによって区画されている。また、表示放電セルＣＬ１（例えば図５中左側）とプライミング放電セルＣＬ２とは、その表示放電セルＣＬ１の横隔壁３１Ｔによって区画されている。
【００３９】
本実施の形態におけるＰＤＰ１００のプライミング放電セルＣＬ２では、表示放電セルＣＬ１（例えば図５中左側）と表示放電セルＣＬ１（例えば図５中右側）で共用するＡ電極２９と、Ｙ電極２３−１またはＹ電極２３−２との間で放電が発生する。この放電によりプライミング粒子が生成され、そのプライミング粒子がプライミング放電領域３４から隙間部３５を経て放電空間３３へ供給される。
【００４０】
このようにＰＤＰ１００を有するプラズマディスプレイ装置１１０は、前面基板２１と、前面基板２１に、行方向に延びて２本ずつ交互に列方向に設けられた複数のＸ電極２２及び複数のＹ電極２３と、前面基板２１と対向して配置された背面基板２８と、背面基板２８に、列方向に延びて行方向に設けられた複数のＡ電極２９と、Ｘ電極２２及びＹ電極２３とＡ電極２９とが交差する位置で構成される複数の表示放電セルＣＬ１とを備えている。また、複数の表示放電セルＣＬ同士の間を仕切るように設けられた列方向に延びる縦隔壁３１Ｌ及び行方向に延びる横隔壁３１Ｔと、表示放電セルＣＬ１と横隔壁３１Ｔによって区画されたプライミング放電領域ＣＬ２と、表示放電セルＣＬ１とプライミング放電領域ＣＬ２を仕切る領域において、表示放電セルＣＬ１とプライミング放電領域ＣＬ２を空間的に接続する隙間部３５（隙間）とを備えるものである。
【００４１】
図６は本実施の形態における表示放電セルＣＬ１の放電状態を模式的に示す図である。図中、符号３３は放電空間を示し、この放電空間３３にはプラズマ１０を生成するための放電ガスが充填されている。維持放電電極対（Ｘ電極２２−Ｙ電極２３対）間に電圧を印加すると、放電ガスの電離によってプラズマ１０が発生する。このプラズマからの紫外線が蛍光体層３２を励起して発光させ、蛍光体層３２からの発光は、前面基板２１を透過して、各々の放電セルからの発光でディスプレイ画面を構成する。
【００４２】
図７は本実施の形態におけるＰＤＰ１００に１枚の画を表示するのに要する１ＴＶフィールド期間のタイムチャートである。１ＴＶフィールド期間４０は複数の異なる発光回数を持つサブフィールド４１〜４８に分割されている。これらサブフィールド毎の発光と非発光の選択により階調を表現することとなる。
【００４３】
ここで、サブフィールド４１の一例として図８〜図１１を用いて説明する。図８はサブフィール４１の構成を示す図であり、図９〜図１１はそれぞれリセット期間、アドレス放電期間、維持放電期間においてＡ電極、Ｘ電極、及びＹ電極に印加される電圧波形を示す図である。
【００４４】
図８に示すように、サブフィールド４１は順にリセット期間４９、発光セルを規定するアドレス放電期間５０、維持放電期間５１から構成されている。
【００４５】
図９に示すリセット期間４９の役割は、前のサブフィールドにおける放電の履歴（壁電荷）をリセットし、全放電セルの壁電荷の状態を同じに揃え、かつアドレス放電にスムーズに移行できるような放電セルの電荷状態にしておくことである。
【００４６】
Ｙ電極に正の電圧を印加、徐徐に電圧を増加させていくと、あるところで放電開始電圧を超え、微弱放電が発生する（正リセット）。リセット放電が、赤、青、緑の全ての表示放電セル内の壁電圧をほぼ均一に揃えるため、維持放電やアドレス放電の開始電圧以上の電圧を印加するが、微弱放電とは、維持放電やアドレス放電よりも放電強度が弱い放電を示す。さらに電圧を上昇させた場合、この微弱放電によって生じた負の電荷がＹ電極の保護膜表面に形成されることにより、放電セルに印加されている電圧は放電開始電圧に保たれる。
【００４７】
ここから電圧を下げていくと暫くは放電が起こらず、更に下げていくとある所から微弱放電が開始する（負リセット）。負リセットの微弱放電の開始電圧は正リセットの微弱放電の開始電圧とは逆極性の微弱放電の開始電圧である。ここで、負の電圧が最低電圧に到達したときに、赤、青、緑の全ての表示放電セルがこの微弱放電の開始電圧に到達しており、全ての放電セルの状態が揃う。言い換えると、全ての放電セルの状態が同じになるように、リセットの電圧を設定してある。この負リセットの微弱放電により、正リセット時にＹ電極側の保護膜表面に形成された余分な負の壁電荷が削られる。
【００４８】
図１０は図８のアドレス放電期間５０においてＡ電極、Ｘ電極、及びＹ電極に印加される電圧波形を示す。図中、符号５２はアドレス放電期間５０における１本のＡ電極に印加する電圧波形、５３はＸ電極に印加する電圧波形、５４、５５はＹ電極のｉ番目と（ｉ＋１）番目に印加する電圧波形であり、各々の電圧をＶ０、Ｖ１、Ｖ２（Ｖ）とする。また図１０にはＡ電極に印加するアドレス電圧パルスの幅をｔａとして示してある。
【００４９】
図１０に示すように、Ｙ電極のｉ行目にスキャンパルス５６が印加された時、Ａ電極との交点に位置するセルでアドレス放電が起こる。また、Ｙ電極のｉ行目にスキャンパルス５６が印加された時、Ａ電極がグラウンド電位（ＧＮＤ）であればアドレス放電は起こらない。このように、アドレス放電期間５０においてＹ電極にはスキャンパルスが１回印加され、Ａ電極にはスキャンパルスに対応して発光セルではＶ０、非発光セルではグラウンド電位となる。同様に、Ｙ電極のｉ＋１行目にスキャンパルス５７が印加された時、Ａ電極との交点に位置するセルでアドレス放電が起こり、あるいは、Ｙ電極のｉ＋１行目にスキャンパルス５７が印加された時、Ａ電極がグラウンド電位（ＧＮＤ）であればアドレス放電は起こらない。
【００５０】
このアドレス放電が起こった放電セルでは、放電で生じた電荷が、Ｙ電極を覆う誘電体層及び保護膜の表面に形成される。この電荷によって発生する電界により、後述する維持放電のオンオフを制御出来る。すなわち、アドレス放電を起こした放電セルは発光セルとなり、それ以外は非発光セルとなる。
【００５１】
図１１は図８の維持放電期間５１の間に維持放電電極であるＸ電極とＹ電極の間に一斉に印加される電圧パルスを示したものである。図中、符号５８はＸ電極に印加される電圧波形、符号５９はＹ電極に印加される電圧波形である。どちらも同じ極性の電圧Ｖ３（Ｖ）のパルスが交互に印加されることにより、Ｘ電極とＹ電極との間の相対電圧は反転を繰り返す。この間に、Ｘ電極とＹ電極の間の放電ガス中で起こる放電を維持放電と称している。
【００５２】
図８〜図１１に示したサブフィールド４１におけるアドレス放電遅れの影響について説明する。図１２はアドレス放電遅れについて説明するための図である。図１２において、アドレス放電遅れｔｄは電極間に放電開始電圧以上の電圧を印加した時刻から、放電が形成される時刻までの平均的な時間である。またアドレス放電遅れｔｄは形成遅れｔｆと統計遅れｔｓに分割され、以下のように定義される。
【００５３】
ｔｄ＝ｔｆ＋ｔｓ      （１）
形成遅れｔｆは放電の起点となる種電子が発生した時刻から、放電が形成される時刻までの時間であり、統計遅れｔｓは電極間に放電開始電圧以上の電圧を印加した時刻から、種電子が発生する時刻までの平均的な時間である。「平均的な」と敢えて記載したのは、種電子が発生するまでの時間が同じ条件下で測定を繰り返し行ったとしても、ばらつき、分布を持つからである。この形成遅れｔｆと統計遅れｔｓは放電遅れ現象を理解するために必要な量である。
【００５４】
アドレス電極に印加する電圧パルスの幅をｔａとすると、複数回測定における放電が全てｔａの時間内に起こらないとアドレス放電で失敗し、表示チラツキが発生してしまうため、全ての放電がアドレスパルス内に収まっている必要がある。
【００５５】
更に、ＰＤＰを連続的に駆動、点灯させる寿命試験において、アドレス放電遅れ、特に統計遅れが大きく増大する。これにより、全ての放電がアドレスパルス内に収まらなくなり、表示チラツキが発生してしまう。
【００５６】
上記したように統計遅れは電極間に放電開始電圧以上の電圧を印加した時刻から、種電子が発生するまでの平均的な時間である。放電の種となる種電子は、ＭｇＯ中の価電子帯と伝導帯の間で、伝導体から僅かに低いところに存在するトラップ準位に捕捉されていた電子が、電界効果やオージェ過程により放電空間に飛び出すことによって発生する。
【００５７】
トラップ準位への電子の捕捉はアドレス放電の前の放電で真空紫外線のＭｇＯへの照射、または荷電粒子のＭｇＯへの衝突によって行なわれる。ここで、連続点灯を行った後においても、放電の強度は殆ど変わらないことから、トラップ準位へ電子を補足させるための真空紫外線、または荷電粒子のエネルギー強度が減少している訳ではないことが分かる。すなわち、放電空間へ放出される種電子の数が減少するのは、トラップ準位そのものの数が減少するためである。
【００５８】
以上より、寿命試験により統計遅れが大きくなるのは、ＭｇＯ中のトラップ準位の数が減少し、ＭｇＯから放出される種電子の数が減少することが原因であることが分かる。
【００５９】
イオン衝撃によるＭｇＯ劣化は主に維持放電において引き起こされる。また放電遅れが問題となるのはアドレス放電においてである。そこで、プライミング放電領域を設け、アドレス放電を起こす場所を分離し、維持放電によるＭｇＯの劣化を回避することにより、ＭｇＯからの電子放出が維持され、放電遅れやその経時劣化が大きく改善出来る。
【００６０】
しかしながら、無効電力の小さいＸＹＹＸ配置において、プログレッシブ駆動でプライミングセルを利用し放電遅れの経時劣化を改善しようとした場合、以下のような問題が生じる。
【００６１】
プライミング放電領域を隣り合うＹ電極のそれぞれに対応するようにプライミングセルを設けようとした場合、プライミング放電領域を突起リブにより、行方向に分割すると、プライミング放電領域が狭くなってしまう。プライミング放電領域が狭くなると、プライミングセルの放電開始電圧の上昇や、プライミング放電領域の放電遅れの悪化を招いてしまい、プライミング放電領域の空間を有効活用出来ない。
【００６２】
また、プライミング放電領域を突起リブなどで仕切らずに、プライミング放電領域用のプライミング電極を用いて、プライミングセルを制御しようとした場合、このプライミング電極に電圧を印加するための回路が必要となり、コストが増大してしまう。
【００６３】
更に、突起リブを用いずにプライミングセルを利用、すなわち隣り合うＹ電極間でプライミングセルを共用し、且つプライミング電極を用いずに、プライミングセルを制御しようとした場合、２つのＹ電極において共用するプライミングセルにおけるアドレス放電の干渉、すなわち、１本目のＹ電極におけるアドレスの後に生じるＡ電極の壁電荷の影響により、２本目のＹ電極におけるアドレスにうまく移行出来ないという問題を避けることが必須である。
【００６４】
そこで、本実施の形態では、駆動波形を工夫することにより、アドレス放電による干渉を避けることとしている。ＸＹＹＸ配置においては、Ｙ電極が分離しているため、Ｙ電極が分離していない場合に比べ、プライミング放電領域における放電を駆動波形により制御しやすいというメリットがある。
【００６５】
図１３は本実施の形態における駆動波形（電圧波形）を示す図である。２本ずつのＹ電極のうち、１本目におけるリセット、アドレスの後に、２本目におけるリセット、アドレスを行う駆動波形を用いることで、アドレス放電の干渉をなくすことができる。また、２本ずつのＹ電極を各々制御出来るため、駆動波形のリセットを間引くことによって、黒輝度を低減することができ、高コントラストを実現することができる。
【００６６】
したがって、本発明による駆動波形を用いることで、アドレス放電の干渉という問題を生じることなく、経時劣化の抑制された、低コスト、高コントラストなＰＤＰを実現可能である。
【００６７】
具体的に、本実施の形態におけるＰＤＰ１００における駆動について説明する。まず、全表示放電セルＣＬ１および全プライミング放電領域ＣＬ２において、リセット期間におけるリセット放電により、前面板３６側の保護膜２７の表面上および背面板３７の誘電体層３０、蛍光体層３２の表面上に壁電荷が形成される。
【００６８】
次に、アドレス放電期間の動作については、Ｙ電極２３にスキャンパルスが印加され、Ａ電極２９にアドレス電圧パルスが印加されたとき、ある放電遅れ時間だけ経過した後に、Ｙ電極（特にＹ透明電極２３ａ）とＡ電極２９と、を含む表示放電セルＣＬ１において、アドレス放電が発生する。一方で、Ｙ電極２３にスキャンパルスが印加され、Ａ電極２９にアドレス電圧パルスが印加されたとき、また、ある放電遅れ時間だけ経過した後に、Ｙ電極２３とＡ電極２９を含むプライミング放電領域ＣＬ２においてはプライミング放電が発生する。
【００６９】
表示放電セルＣＬ１におけるアドレス放電が先に発生した場合は、前述のアドレス放電と同様となる。これに対して、プライミング放電領域ＣＬ２におけるプライミング放電が先に発生した場合、このプライミング放電により発生した正イオンや電子などの荷電粒子が、隙間部３５を通じてプライミング放電領域ＣＬ２と空間的に接続された表示放電セルＣＬ１に流入し、表示放電セルＣＬ１におけるアドレス放電の形成を促進する。すなわち、アドレス放電そのものの放電遅れ時間が大きい場合に、プライミング放電が発生することにより、アドレス放電の放電遅れ時間を制限することができる。この効果は特に、アドレス放電遅れの経時劣化を抑制することができる。
【００７０】
無効電力の小さいＸＹＹＸ配置において、プライミング放電領域ＣＬ２でアドレス放電を起こそうとすると、プログレッシブ駆動では特に、アドレス放電の干渉という問題が生じてしまう。
【００７１】
そこで、本実施の形態においては、図１３に示すような、２本ずつのＹ電極２３（２３−１、２３−２）に対して、１本目となる一方のＹ電極２３−１におけるリセット（リセット期間４９−１）、アドレス（アドレス放電期間５０−１）の駆動波形を供給した後、２本目となる他方のＹ電極２３−２におけるリセット（リセット期間４９−２）、アドレス（アドレス放電期間５０−２）の駆動波形を供給する。その後、表示（維持放電期間５１）を行う駆動波形を用いている。
【００７２】
これら駆動波形は、図２で示したプラズマディスプレイ装置１１０が有する駆動回路（維持駆動回路１０１、スキャン駆動回路１０２、アドレス駆動回路１０３）によって供給される。すなわち、駆動回路が、表示放電セルＣＬ１（例えば図５中左側）に対して順にリセット放電、アドレス放電を発生させた後、表示放電セルＣＬ１（例えば図５中右側）に対して順にリセット放電、アドレス放電を発生させ、その後、これら全ての表示放電セルＣＬ１に対して維持放電を発生させる。
【００７３】
具体的には、まず、１本目（Ｘ電極２２−１、Ｙ電極２３−１、Ａ電極２９）におけるポジリセット（正の鈍波リセット）及びネガリセット（負の鈍波リセット）により壁電荷の調整を行い、その後にアドレス放電を生じさせる。１本目におけるアドレス放電の次のタイミングに２本目（Ｘ電極２２−２、Ｙ電極２３−２、Ａ電極２９）におけるリセットを行う。１本目と同様に、ポジリセット及びネガリセットにより壁電荷の調整を行い、その後にアドレス放電を生じさせる。
【００７４】
これにより、１本目におけるアドレス放電により生じたＡ電極２９の壁電荷をリセットすることが可能である。本駆動波形を用いて駆動させたＰＤＰ１００は、アドレス放電の干渉を起こすことなくプログレッシブ駆動を行うことができる。
【００７５】
本実施の形態によれば、維持放電電極対（Ｘ電極−Ｙ電極対）の配置がＸＹＹＸ配置であるＰＤＰ１００を備えたプラズマディスプレイ装置１１０の高精細化を図ることができる。また、黒輝度を低減することができる。さらに、放電遅れを低減することができる。
【００７６】
このように、無効電力の小さいＸＹＹＸ配置においても、プライミング放電領域の突起リブやプライミング電極などを設けることなく、低コストで、アドレス放電遅れとその経時劣化の改善、及び低消費電力化が可能となるため、明るく、且つ寿命が保証され、且つ安定に駆動出来る、低消費電力、高精細、高画質なＰＤＰ装置を提供できる。
【００７７】
（実施の形態２）
図１４は本実施の形態におけるＰＤＰの一部を透視して示す平面図であり、図１５は図１４のＡ−Ａ線におけるＰＤＰの断面図である。本実施の形態においては、前記実施の形態１の構成に加え、プライミング放電領域ＣＬ２の前面基板２１側であって光吸収層７０を２本のＹバス電極２３ｂの間に設けている。なお、他の構成などについては前記実施の形態１と同様であるので重複する説明は省略する場合もある。
【００７８】
光吸収層７０には黒色ガラスを用いた場合、これらの構成により、ＰＤＰを駆動させた結果、黒輝度が０．５ｃｄ／ｍ２から０．１ｃｄ／ｍ２に低減した。光吸収層７０に用いる材料としては、基本的には黒色のガラスなどの絶縁体が望ましいが、Ｙバス電極２３ｂとの間に距離を設けるのなら、導電性を有する材料でも構わない。
【００７９】
また、本実施の形態では、Ｙバス電極２３ｂと光吸収層７０を合わせた部分において、プライミング放電領域ＣＬ２におけるあらゆる発光を遮断出来るような構成としたが、光吸収層７０は、それのみでプライミング放電領域ＣＬ２からの発光を遮断出来るような配置にしても良い。
【００８０】
（実施の形態３）
図１６は本実施の形態におけるＰＤＰの一部を透視して示す平面図であり、図１７は図１６のＡ−Ａ線におけるＰＤＰの断面図である。また、図１８は本実施の形態における駆動波形を示す図である。本実施の形態においては、前記実施の形態１の構成に加え、電子放出層７１をプライミング放電領域ＣＬ２の背面基板２８側の誘電体層３０上に設けている。また、本実施の形態におけるＰＤＰの駆動波形は、前記実施の形態１と異なり、図１８に示すようなＡ電極２９を陰極とした駆動波形を用いている。なお、他の構成などについては前記実施の形態１と同様であるので重複する説明は省略する場合もある。
【００８１】
電子放出層７１にはＭｇＯの結晶を用いることができる。電子放出層７１としてＭｇＯの他に、仕事関数が小さく、二次電子放出係数γが背面板３７の誘電体層３０より高い材料、例えばアルカリ金属の酸化物、アルカリ土類金属の酸化物（ＣａＯ、ＳｒＯ、ＢａＯ）、希土類金属の酸化物（Ｙ２Ｏ３、Ｌａ２Ｏ３、Ｃｅ２Ｏ３、Ｄｙ２Ｏ３、Ｅｒ２Ｏ３、Ｌｕ２Ｏ３）、フッ化物（ＬｉＦ、ＣａＦ２、ＭｇＦ２）などであれば代替可能である。
【００８２】
このような電子放出層７１を配置することで、アドレス放電時において、陽イオンがアドレス電極側の電子放出層７１に衝突し（これは、図１８に示すような、アドレス電極を敢えて陰極とした駆動波形を用いたことによる）、それによる二次電子放出により、放電成長を著しく促すことができる。上記の構成により、放電開始電圧が著しく低下した。
【００８３】
更に、ＸＹＹＸ配置でＰＤＰを駆動させる場合、２本のＹ電極２３を同時に制御可能なため、駆動波形のリセットを間引くことによって、黒輝度を低減することができ、高コントラストを実現することができる。
【００８４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【産業上の利用可能性】
【００８５】
本発明は、画像表示装置、特に、電極間の放電で生じる真空紫外線によって蛍光体を励起して発光表示を行う画像表示装置に有効で、とりわけＰＤＰを備えたプラズマディスプレイ装置の製造業に幅広く利用されるものである。
【図面の簡単な説明】
【００８６】
【図１】本発明者らが検討したプライミング放電領域縦幅に対する放電開始電圧特性を示す図である。
【図２】本発明の他の実施の形態におけるＰＤＰを備えたプラズマディスプレイ装置の構成を示す図である。
【図３】本発明の一実施の形態におけるＰＤＰを模式的に示す分解斜視図である。
【図４】図３のＰＤＰの一部を透視して示す平面図である。
【図５】図４のＡ−Ａ線におけるＰＤＰの断面図である。
【図６】本発明の一実施の形態における表示放電セルの放電状態を模式的に示す図である。
【図７】本発明の一実施の形態におけるＰＤＰに１枚の画を表示するのに要する１ＴＶフィールド期間のタイムチャートである。
【図８】サブフィールドの構成を示す図である。
【図９】リセット期間においてＡ電極、Ｘ電極、及びＹ電極に印加される電圧波形を示す図である。
【図１０】アドレス放電期間においてＡ電極、Ｘ電極、及びＹ電極に印加される電圧波形を示す図である。
【図１１】維持放電期間においてＡ電極、Ｘ電極、及びＹ電極に印加される電圧波形を示す図である。
【図１２】アドレス放電遅れについて説明するための図である。
【図１３】本発明の一実施の形態における駆動波形を示す図である。
【図１４】本発明の他の実施の形態におけるＰＤＰの一部を透視して示す平面図である。
【図１５】図１４のＡ−Ａ線におけるＰＤＰの断面図である。
【図１６】本発明の他の実施の形態におけるＰＤＰの一部を透視して示す平面図である。
【図１７】図１６のＡ−Ａ線におけるＰＤＰの断面図である。
【図１８】本発明の他の実施の形態における駆動波形を示す図である。
【符号の説明】
【００８７】
１０  プラズマ
２１  前面基板
２２  Ｘ電極
２２ａ  Ｘ透明電極
２２ｂ  Ｘバス電極
２３  Ｙ電極
２３ａ  Ｙ透明電極
２３ｂ  Ｙバス電極
２６  誘電体層
２７  保護膜
２８  背面基板
２９  Ａ電極
３０  誘電体層
３１  隔壁
３１Ｌ  縦隔壁
３１Ｔ  横隔壁
３２  蛍光体層
３２Ｒ  赤蛍光体層
３２Ｇ  緑蛍光体層
３２Ｂ  青蛍光体層
３３  放電空間
３４  プライミング放電領域
３５  隙間部
３６  前面板
３７  背面板
４０  １ＴＶフィールド期間
４１、４２、４３、４４、４５、４６、４７、４８  サブフィールド
４９  リセット期間
５０  アドレス放電期間
５１  維持放電期間
５２  １本のＡ電極に印加する電圧波形
５３  Ｘ電極に印加する電圧波形
５４  Ｙ電極のｉ番目に印加する電圧波形
５５  Ｙ電極のｉ＋１番目に印加する電圧波形
５６  Ｙ電極のｉ行目に印加されるスキャンパルス
５７  Ｙ電極のｉ＋１行目に印加されるスキャンパルス
５８  Ｘ電極に印加される電圧波形
５９  Ｙ電極に印加される電圧波形
７０  光吸収層
７１  電子放出層
１００  ＰＤＰ
１０１  維持駆動回路
１０２  スキャン駆動回路
１０３  アドレス駆動回路
１０４  駆動制御回路
１０５  電源回路
１１０  プラズマディスプレイ装置（画像表示装置）
１１１  映像源
１２０  画像表示システム
ＣＬ１  表示放電セル
ＣＬ２  プライミング放電領域（プライミング放電セル）
【図１】
2010027264.tif 000003
【図２】
2010027264.tif 000004
【図３】
2010027264.tif 000005
【図４】
2010027264.tif 000006
【図５】
2010027264.tif 000007
【図６】
2010027264.tif 000008
【図７】
2010027264.tif 000009
【図８】
2010027264.tif 000010
【図９】
2010027264.tif 000011
【図１０】
2010027264.tif 000012
【図１１】
2010027264.tif 000013
【図１２】
2010027264.tif 000014
【図１３】
2010027264.tif 000015
【図１４】
2010027264.tif 000016
【図１５】
2010027264.tif 000017
【図１６】
2010027264.tif 000018
【図１７】
2010027264.tif 000019
【図１８】
2010027264.tif 000020